(57)【特許請求の範囲】
【請求項１】
マルチセル協調伝送方法であって、
中央コントローラが、スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送し、
前記ＵＥが、前記候補協調伝送グループの中から、１つの候補協調伝送グループを選択して、自局の協調伝送グループとし、選択された協調伝送グループの情報を前記中央コントローラにフィードバックし、
前記中央コントローラが、前記ＵＥで選択された協調伝送グループの情報に従って、スーパーセル内の全ての協調伝送グループ、および、各協調伝送グループ内の協調に参加するＵＥを決定する、
ことを含むことを特徴とする方法。
【請求項２】
ＵＥが、前記候補協調伝送グループの中から、１つの候補協調伝送グループを選択して、自局の協調伝送グループとすることは、
ＵＥが、自局の所在地理位置に従って、自局の属する候補協調伝送グループを選択して、自局の協調伝送グループとする、
ことを含むことを特徴とする請求項１に記載の方法。
【請求項３】
ＵＥが、前記候補協調伝送グループの中から、１つの候補協調伝送グループを選択して、自局の協調伝送グループとすることは、
ＵＥが、前記候補協調伝送グループのそれぞれに対して測定を行い、測定して得られたチャネル情報に従って、前記候補協調伝送グループの中から、１つの候補協調伝送グループを選択して、自局の協調伝送グループとする、
ことを含むことを特徴とする請求項１に記載の方法。
【請求項４】
前記チャネル情報は、長期チャネル統計値（Ｌｏｎｇ−Ｔｅｒｍ  Ｃｈａｎｎｅｌ  Ｓｔａｔｉｓｔｉｃｓ）または瞬時チャネル情報を含み、
前記測定して得られたチャネル情報に従って、前記候補協調伝送グループの中から、１つの候補協調伝送グループを選択して、自局の協調伝送グループとすることは、信号対干渉雑音比が最大となる協調伝送グループを選択して、自局の協調伝送グループとする、ことを含む、
ことを特徴とする請求項３に記載の方法。
【請求項５】
マルチセル協調伝送方法であって、
中央コントローラが、スーパーセル内の各セルがそれぞれ少なくとも１つの候補協調伝送グループに属するように、スーパーセル内に１つ以上の候補協調伝送グループを決定し、決定された候補協調伝送グループの情報を、スーパーセル内の全てのユーザ機器（ＵＥ）に放送し、
前記ＵＥが、前記候補協調伝送グループのそれぞれに対して測定を行い、測定して得られたチャネル情報を前記中央コントローラにフィードバックし、
前記中央コントローラが、各ＵＥからフィードバックされたチャネル情報に従って、各ＵＥのそれぞれに対して、候補協調伝送グループの中から１つの協調伝送グループを選択して、各ＵＥに対して選択された協調伝送グループに従って、スーパーセル内の全ての協調伝送グループ、および、各協調伝送グループ内の協調に参加するＵＥを決定する、
ことを含むことを特徴とする方法。
【請求項６】
前記チャネル情報は、長期チャネル統計値（Ｌｏｎｇ−Ｔｅｒｍ  Ｃｈａｎｎｅｌ  Ｓｔａｔｉｓｔｉｃｓ）または瞬時チャネル情報を含み、
前記中央コントローラが、各ＵＥからフィードバックされたチャネル情報に従って、各ＵＥのそれぞれに対して、候補協調伝送グループの中から１つの協調伝送グループを選択することは、各ＵＥのそれぞれに対して、信号対干渉雑音比が最大となる協調伝送グループを選択して該ＵＥの協調伝送グループとする、ことを含む、
ことを特徴とする請求項５に記載の方法。
【請求項７】
スーパーセル内の全ての協調伝送グループ、および、各協調伝送グループ内の協調に参加するＵＥを決定することは、
選択された各ＵＥの協調伝送グループの情報、および、各ＵＥからフィードバックされたチャネル情報に従って、各候補協調伝送グループに対して、それぞれＵＥスケジューリングを行い、各候補協調伝送グループ内の協調に参加するＵＥのスループットまたは重み付けスループットを最大化するように、各候補協調伝送グループ内の協調に参加するＵＥを決定するステップと、
全ての候補協調伝送グループからなる集合を第１集合とするステップと、
最大優先度を有する候補協調伝送グループを第１集合から選択して、スーパーセルの協調伝送グループとして、第２集合に追加するステップａ１と、
ステップａ１において第２集合に追加された候補協調伝送グループと直交しない全ての候補協調伝送グループを第１集合から削除して、第１集合が空になるまで、ステップａ１に戻るステップと、
を含むことを特徴とする請求項１または５に記載の方法。
【請求項８】
前記最大優先度は、候補協調伝送グループのスループット、または候補協調伝送グループの重み付けスループットである、
ことを特徴とする請求項７に記載の方法。
【請求項９】
スーパーセル内の全ての協調伝送グループ、および、各協調伝送グループ内の協調に参加するＵＥを決定することは、
スーパーセル内の全ての候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとし、
時分割多重方式を採用して上記少なくとも２つの協調伝送モードを多重化し、各協調伝送モードのそれぞれに対して、下りタイムスロットを割り当て、１つの協調伝送モードに対応するタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥのスループットまたは重み付けスループットを最大化する、
ことを含むことを特徴とする請求項１または５に記載の方法。
【請求項１０】
スーパーセル内の全ての協調伝送グループ、および、各協調伝送グループ内の協調に参加するＵＥを決定することは、
スーパーセル内の全ての候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとし、
周波数分割多重方式を採用して上記少なくとも２つの協調伝送モードを多重化し、各協調伝送モードのそれぞれに対して、下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥのスループットまたは重み付けスループットを最大化する、
ことを含むことを特徴とする請求項１または５に記載の方法。
【請求項１１】
スーパーセルの中央コントローラであって、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送する候補協調伝送グループ決定手段と、
ＵＥからフィードバックされた、該ＵＥの協調伝送グループの情報を受信する協調伝送グループ情報取得手段と、
全てのＵＥで選択された協調伝送グループの情報に従って、スーパーセル内の全ての協調伝送グループ、および、各協調伝送グループ内の協調に参加するＵＥを決定するスケジューリング手段と、
を含むことを特徴とする中央コントローラ。
【請求項１２】
スーパーセルの中央コントローラであって、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送する候補協調伝送グループ決定手段と、
ＵＥからフィードバックされたチャネル情報を受信するチャネル情報取得手段と、
各ＵＥからフィードバックされたチャネル情報に従って、各ＵＥのそれぞれに対して、候補協調伝送グループの中から１つの協調伝送グループを選択する協調伝送グループ選択手段と、
各ＵＥに対して選択された協調伝送グループの情報に従って、スーパーセル内の全ての協調伝送グループ、および、各協調伝送グループ内の協調に参加するＵＥを決定するスケジューリング手段と、
を含むことを特徴とする中央コントローラ。
【請求項１３】
前記スケジューリング手段は、
選択された各ＵＥの協調伝送グループ情報、および、各ＵＥからフィードバックされたチャネル情報に従って、各候補協調伝送グループに対して、それぞれＵＥスケジューリングを行い、各候補協調伝送グループ内の協調に参加するＵＥの重み付けスループットを最大化するように、各候補協調伝送グループ内の協調に参加するＵＥを決定するＵＥスケジューリングモジュールと、
全ての候補協調伝送グループからなる集合を第１集合とし、最大優先度を有する候補協調伝送グループを第１集合から選択して、該スーパーセル内の協調伝送グループとして、第２集合に追加し、第２集合に追加された候補協調伝送グループと直交しない全ての候補協調伝送グループを第１集合から削除して、第１集合が空になるまで、最大優先度を有する候補協調伝送グループを第１集合から選択するステップに戻る協調伝送グループ選択モジュールと、
を含むことを特徴とする請求項１１または１２に記載の中央コントローラ。
【請求項１４】
前記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとする協調伝送モード区分モジュールと、
各協調伝送モードのそれぞれに対して、下りタイムスロットを割り当て、１つの協調伝送モードに対応するタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、
を含むことを特徴とする請求項１１または１２に記載の中央コントローラ。
【請求項１５】
前記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとする協調伝送モード区分モジュールと、
各協調伝送モードのそれぞれに対して、下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、
を含むことを特徴とする請求項１１または１２に記載の中央コントローラ。
【請求項１６】
ユーザ機器（ＵＥ）であって、
スーパーセルの中央コントローラから放送された全ての候補協調伝送グループの中から、１つの協調伝送グループを選択して、自局の協調伝送グループとする協調伝送グループ選択手段と、
選択された協調伝送グループの情報を、スーパーセルの中央コントローラにフィードバックする協調伝送グループ情報フィードバック手段と、
を含み、
前記中央コントローラが、前記ＵＥで選択された協調伝送グループの情報に従って、スーパーセル内の全ての協調伝送グループ、および、各協調伝送グループ内の協調に参加するＵＥを決定することを特徴とするＵＥ。
【請求項１７】
自局のチャネル状況を動的に測定して、得られたチャネル情報を中央コントローラにフィードバックするチャネル情報フィードバック手段をさらに含むことを特徴とする請求項１６に記載のＵＥ。
【請求項１８】
ユーザ機器（ＵＥ）であって、
スーパーセルの中央コントローラから放送された全ての候補協調伝送グループの情報を受信する候補協調伝送グループ情報受信手段と、
前記候補協調伝送グループに対して測定を行う測定手段と、
測定して得られたチャネル情報を前記中央コントローラにフィードバックするチャネル情報フィードバック手段と、
を含み、
前記中央コントローラが、各ＵＥからフィードバックされたチャネル情報に従って、各ＵＥのそれぞれに対して、候補協調伝送グループの中から１つの協調伝送グループを選択して、各ＵＥに対して選択された協調伝送グループに従って、スーパーセル内の全ての協調伝送グループ、および、各協調伝送グループ内の協調に参加するＵＥを決定することを特徴とするＵＥ。
【発明の詳細な説明】
【技術分野】
【０００１】
本発明は、無線通信技術分野に関し、特に、改善された長期的な進化（ＬＴＥ−Ａ：Ｌｏｎｇ  Ｔｅｒｍ  Ｅｖｏｌｕｔｉｏｎ−Ａｄｖａｎｃｅｄ）無線通信システムにおけるマルチセル協調伝送方法、スーパーセルにおける中央コントローラおよびユーザ機器（ＵＥ）に関する。
【背景技術】
【０００２】
ＬＴＥ−Ａシステムにおいて、セルのカバレッジ範囲が次第に狭くなること、および周波数多重因子が次第に１に近づくことにつれて、セル間干渉は、次第にセル容量を制限する肝心な問題になっている。周波数利用効率を向上させるために、マルチセル協調伝送技術が提案されている。この技術は、マルチポイント協調伝送（ＣｏＭＰ：Ｃｏｏｒｄｉｎａｔｅｄ  Ｍｕｌｔｉ−Ｐｏｉｎｔ  Ｔｒａｎｓｍｉｓｓｉｏｎ）技術と呼ばれてもよい。
【０００３】
マルチセル協調伝送技術は、複数のセルを連合して信号を送信し、光ファイバなどの有線チャネルを利用して、連合された各セル内のユーザのチャネルとデータ情報を共有することを基本思想として、セル間の直交性を確立することで、セル間干渉を効果的に解消し、システムのスループットを向上させることを目的とする。
【発明の概要】
【発明が解決しようとする課題】
【０００４】
本発明において、説明の便宜上、光ファイバなどの有線チャネルを介して接続された複数のセルの全ての集合をスーパーセル（Ｓｕｐｅｒ−ｃｅｌｌ）と定義する。通常、スーパーセル内には、コア制御機能を持って複数のセル間の協調伝送を協調するための少なくとも１つの中央コントローラが設けられる。中央コントローラを除いて、他のセルの基地局は、コア制御機能を持たないリモート無線機器（ＲＲＥ）であるように設けられてよい。セル間干渉を解消し、スーパーセルのスループットを向上させるために、スーパーセル内の全てのセルはいずれも同時に協調伝送に参加できる、ということが理解できる。しかし、このように、スーパーセル内の全てのセルはいずれも大量のチャネルとユーザデータ情報を共有する必要があることにより、協調処理の複雑度が高くなり、かつ、得られた協調利得が十分に大きいとは限らない。
【０００５】
上記協調処理の複雑度が高いという問題を解決するために、スーパーセル内のセルを予め１つ以上の協調伝送グループ（Ｃｏｏｐｅｒａｔｉｎｇ  Ｓｅｔ）に分けて、別々に協調伝送に参加させるようにしてよい。従来のＬＴＥ−Ａシステムにおいて、スーパーセル内で１つ以上の協調伝送グループを予め定義する方式を採用するようにしてよい。しかし、スーパーセル内の異なるユーザのチャネル状況が異なって、そして、同一ユーザのチャネル情報も時間変動のものであるため、このような協調伝送グループを予め定義する方式は、柔軟性に欠け、大きい協調利得を得られない。それ以外、各ユーザがそれぞれ自局のチャネル状況に従って、１つ以上のセルを自ら選択して協調伝送グループを構成する方式を採用するようにしてもよい。しかしながら、上記の方式を採用する場合、各ユーザで選択された協調伝送グループは異なる可能性があるため、協調伝送グループの数が非常に多くなり、協調伝送グループのスケジューリングの複雑度が非常に高くなることを直接的に引き起こす。従って、如何に協調伝送の性能および複雑度の影響を総合的に考慮して、スーパーセルにおいて協調伝送に参加するセルとユーザを動的に決定するかが、マルチセル協調伝送技術で解決すべき問題の１つである。
【課題を解決するための手段】
【０００６】
上記の技術的課題を解決するために、本発明は、協調伝送の性能および複雑度の影響を総合的に考慮した場合で、スーパーセルにおいて協調伝送に参加するセルとユーザを動的に決定するマルチセル協調伝送方法を提供している。
【０００７】
本発明の実施例に係るマルチセル協調伝送方法は、
中央コントローラが、スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのＵＥに放送し、
前記ＵＥが、前記候補協調伝送グループの中から、１つの候補協調伝送グループを選択して、自局の協調伝送グループとし、選択された協調伝送グループの情報を前記中央コントローラにフィードバックし、
前記中央コントローラが、前記ＵＥで選択された協調伝送グループの情報に従って、スーパーセル内の全ての協調伝送グループ、および、各協調伝送グループ内の協調に参加するＵＥを決定する、ことを含む。
【０００８】
ＵＥが、前記候補協調伝送グループの中から、１つの候補協調伝送グループを選択して、自局の協調伝送グループとすることは、ＵＥが、自局の所在地理位置に従って、自局の属する候補協調伝送グループを選択して、自局の協調伝送グループとする、ことを含む。
【０００９】
ＵＥが、前記候補協調伝送グループの中から、１つの候補協調伝送グループを選択して、自局の協調伝送グループとすることは、ＵＥが、前記候補協調伝送グループのそれぞれに対して測定を行い、測定して得られたチャネル情報に従って、前記候補協調伝送グループの中から、１つの候補協調伝送グループを選択して、自局の協調伝送グループとする、ことを含む。
【００１０】
前記チャネル情報は、長期チャネル統計値または瞬時チャネル情報を含み、前記測定して得られたチャネル情報に従って、前記候補協調伝送グループの中から、１つの候補協調伝送グループを選択して、自局の協調伝送グループとすることは、信号対干渉雑音比が最大となる協調伝送グループを選択して、自局の協調伝送グループとする、ことを含む。
【００１１】
本発明のほかの実施例に係るマルチセル協調伝送方法は、
中央コントローラが、スーパーセル内の各セルがそれぞれ少なくとも１つの候補協調伝送グループに属するように、スーパーセル内に１つ以上の候補協調伝送グループを決定し、決定された候補協調伝送グループの情報を、スーパーセル内の全てのＵＥに放送し、
前記ＵＥが、前記候補協調伝送グループのそれぞれに対して測定を行い、測定して得られたチャネル情報を前記中央コントローラにフィードバックし、
前記中央コントローラが、各ＵＥからフィードバックされたチャネル情報に従って、各ＵＥのそれぞれに対して、候補協調伝送グループの中から１つの協調伝送グループを選択して、各ＵＥに対して選択された協調伝送グループに従って、スーパーセル内の全ての協調伝送グループ、および、各協調伝送グループ内の協調に参加するＵＥを決定する、ことを含む。
【００１２】
前記チャネル情報は、長期チャネル統計値または瞬時チャネル情報を含み、前記中央コントローラが、各ＵＥからフィードバックされたチャネル情報に従って、各ＵＥのそれぞれに対して、候補協調伝送グループの中から１つの協調伝送グループを選択することは、各ＵＥのそれぞれに対して、信号対干渉雑音比が最大となる協調伝送グループを選択して該ＵＥの協調伝送グループとする、ことを含む。
【００１３】
スーパーセル内の全ての協調伝送グループ、および、各協調伝送グループ内の協調に参加するＵＥを決定することは、選択された各ＵＥの協調伝送グループの情報、および、各ＵＥからフィードバックされたチャネル情報に従って、各候補協調伝送グループに対して、それぞれＵＥスケジューリングを行い、各候補協調伝送グループ内の協調に参加するＵＥのスループットまたは重み付けスループットを最大化するように、各候補協調伝送グループ内の協調に参加するＵＥを決定するステップと、全ての候補協調伝送グループからなる集合を第１集合とするステップと、最大優先度を有する候補協調伝送グループを第１集合から選択して、スーパーセルの協調伝送グループとして、第２集合に追加するステップａ１と、ステップａ１において第２集合に追加された候補協調伝送グループと直交しない全ての候補協調伝送グループを第１集合から削除して、第１集合が空になるまで、ステップａ１に戻るステップと、を含む。
【００１４】
前記優先度は、候補協調伝送グループのスループット、または候補協調伝送グループの重み付けスループットである。
【００１５】
スーパーセル内の全ての協調伝送グループ、および、各協調伝送グループ内の協調に参加するＵＥを決定することは、スーパーセル内の全ての候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとし、時分割多重方式を採用して上記少なくとも２つの協調伝送モードを多重化し、各協調伝送モードのそれぞれに対して、下りタイムスロットを割り当て、１つの協調伝送モードに対応するタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥのスループットまたは重み付けスループットを最大化する、ことを含む。
【００１６】
スーパーセル内の全ての協調伝送グループ、および、各協調伝送グループ内の協調に参加するＵＥを決定することは、
スーパーセル内の全ての候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとし、
周波数分割多重方式を採用して上記少なくとも２つの協調伝送モードを多重化し、各協調伝送モードのそれぞれに対して、下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥのスループットまたは重み付けスループットを最大化する、ことを含む。
【００１７】
本発明の実施例に係るスーパーセルの中央コントローラは、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送する候補協調伝送グループ決定手段と、
ＵＥからフィードバックされた、該ＵＥの協調伝送グループの情報を受信する協調伝送グループ情報取得手段と、
全てのＵＥで選択された協調伝送グループの情報に従って、スーパーセル内の全ての協調伝送グループ、および、各協調伝送グループ内の協調に参加するＵＥを決定するスケジューリング手段と、を含む。
【００１８】
本発明のほかの実施例に係るスーパーセルの中央コントローラは、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送する候補協調伝送グループ決定手段と、
ＵＥからフィードバックされたチャネル情報を受信するチャネル情報取得手段と、
各ＵＥからフィードバックされたチャネル情報に従って、各ＵＥのそれぞれに対して、候補協調伝送グループの中から１つの協調伝送グループを選択する協調伝送グループ選択手段と、
各ＵＥに対して選択された協調伝送グループの情報に従って、スーパーセル内の全ての協調伝送グループ、および、各協調伝送グループ内の協調に参加するＵＥを決定するスケジューリング手段と、を含む。
【００１９】
前記スケジューリング手段は、
選択された各ＵＥの協調伝送グループ情報、および、各ＵＥからフィードバックされたチャネル情報に従って、各候補協調伝送グループに対して、それぞれＵＥスケジューリングを行い、各候補協調伝送グループ内の協調に参加するＵＥの重み付けスループットを最大化するように、各候補協調伝送グループ内の協調に参加するＵＥを決定するＵＥスケジューリングモジュールと、
全ての候補協調伝送グループからなる集合を第１集合とし、最大優先度を有する候補協調伝送グループを第１集合から選択して、該スーパーセル内の協調伝送グループとして、第２集合に追加し、第２集合に追加された候補協調伝送グループと直交しない全ての候補協調伝送グループを第１集合から削除して、第１集合が空になるまで、最大優先度を有する候補協調伝送グループを第１集合から選択するステップに戻る協調伝送グループ選択モジュールと、を含む。
【００２０】
あるいは、前記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとする協調伝送モード区分モジュールと、
各協調伝送モードのそれぞれに対して、下りタイムスロットを割り当て、１つの協調伝送モードに対応するタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、を含む。
【００２１】
あるいは、前記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループ集合をそれぞれ１つの協調伝送モードとする協調伝送モード区分モジュールと、
各協調伝送モードのそれぞれに対して、下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、を含む。
【００２２】
本発明の実施例に係るＵＥは、
スーパーセルの中央コントローラから放送された全ての候補協調伝送グループの中から、１つの協調伝送グループを選択して、自局の協調伝送グループとする協調伝送グループ選択手段と、
選択された協調伝送グループの情報を、スーパーセルの中央コントローラにフィードバックする協調伝送グループ情報フィードバック手段と、を含む。
【００２３】
上記ＵＥは、自局のチャネル状況を動的に測定して、得られたチャネル情報を中央コントローラにフィードバックするチャネル情報フィードバック手段をさらに含む。
【００２４】
本発明のほかの実施例に係るＵＥは、
スーパーセルの中央コントローラから放送された全ての候補協調伝送グループの情報を受信する候補協調伝送グループ情報受信手段と、
前記候補協調伝送グループに対して測定を行う測定手段と、
測定して得られたチャネル情報を前記中央コントローラにフィードバックするチャネル情報フィードバック手段と、を含む。
【発明の効果】
【００２５】
本発明の実施例により提供されたマルチセル協調伝送方法は、ＵＥが、まず自局のチャネル情報または地理位置に従って、スーパーセルの中央コントローラで決定された有限数の候補協調伝送グループの中から、自局の協調伝送グループを選択することができるため、協調伝送グループが予め定義される方式に比べて、さらに柔軟に実現でき、かつ、比較的大きい協調利得を得ることができ、一方、スケジューリングに参加する候補協調伝送グループが、中央コントローラにより決定されるものであり、その数が有限であるため、協調伝送グループが完全的にＵＥにより決定される方式に比べて、協調伝送グループのスケジューリングの複雑度を大幅に低下させる。ここから分かるように、本実施例に係るスーパーセルにおいて協調伝送に参加するセルおよび協調に参加するＵＥを動的に決定する方法、中央コントローラおよびＵＥは、協調伝送の性能および協調伝送のスケジューリング複雑度の影響を総合的に考慮と、比較的高い協調伝送性能を有するとともに、比較的低い複雑度を有するため、適切で実行可能である。
【図面の簡単な説明】
【００２６】
【図１】本発明の実施例で提供されたマルチセル協調伝送方法のフローチャートである。
【図２】本発明の実施例に係る１つのスーパーセルの構成を示す図である。
【図３】本発明の実施例に係る１つの協調伝送モードを示す図である。
【図４】本発明の実施例に係るほかの協調伝送モードを示す図である。
【図５】本発明の実施例に係るスーパーセル内の中央コントローラの構成を示す図である。
【図６】本発明のほかの実施例に係るスーパーセル内の中央コントローラの構成を示す図である。
【図７】本発明の実施例に係るＵＥの構成を示す図である。
【図８】本発明のほかの実施例に係るＵＥの構成を示す図である。
【発明を実施するための形態】
【００２７】
本発明の実施例では、マルチセル協調伝送方法が提供されている。該方法の実行プロセスは、図１に示すように、主に以下のステップを含む。
【００２８】
ステップ１０１で、中央コントローラは、スーパーセル内の各セルがそれぞれ少なくとも１つの候補協調伝送グループに属するように、スーパーセル内で１つ以上の候補協調伝送グループを決定し、それから、中央コントローラは、決定された候補協調伝送グループの情報を、スーパーセル内の全てのＵＥに放送する。
【００２９】
ステップ１０２で、スーパーセル内の全てのＵＥは、それぞれ、スーパーセルの候補協調伝送グループの中から、１つの候補協調伝送グループを選択して、自局の協調伝送グループとし、かつ、自局で選択された協調伝送グループの情報を中央コントローラにフィードバックする。
【００３０】
本ステップにおいて、ＵＥは、複数種類の異なる方法を採用して、自局の協調伝送グループを選択することができる。例えば、ＵＥは、まず、スーパーセル内の候補協調伝送グループに対して測定を行って、測定して得られた長期チャネル統計値（Ｌｏｎｇ−Ｔｅｒｍ  Ｃｈａｎｎｅｌ  Ｓｔａｔｉｓｔｉｃｓ）、または、瞬時チャネル情報に従って、信号対干渉雑音比（ＳＩＮＲ）が最大となる協調伝送グループを選択して、自局の協調伝送グループとするようにしてもよい。あるいは、ＵＥは、自局の所在地理位置に従って、自局の属する候補協調伝送グループを直接的に選択して、自局の協調伝送グループとするようにしてもよい。
【００３１】
上記ステップ１０２の代替案として、上記ステップ１０１を実行した後、以下のステップ１０２’を実行してもよい。
【００３２】
ステップ１０２’で、スーパーセル内の全てのＵＥは、それぞれスーパーセル内の候補協調伝送グループに対して測定を行って、測定して得られたチャネル情報を中央コントローラにフィードバックし、中央コントローラは、各ＵＥからフィードバックされたチャネル情報に従って、各ＵＥのそれぞれ対して、１つの候補協調伝送グループを選択して、該ＵＥの協調伝送グループとする。
【００３３】
上記ステップ１０２’において、前記チャネル情報は、測定して得られた長期チャネル統計値または瞬時チャネル情報であってよい。中央コントローラは、各ＵＥからフィードバックされた長期チャネル統計値または瞬時チャネル情報に従って、各ＵＥのそれぞれ対して、信号対干渉雑音比が最大となる協調伝送グループを選択して、該ＵＥの協調伝送グループとする。
【００３４】
上記ステップ１０２または１０２’の実行終了後、以下のステップ１０３を引き続き実行する。
【００３５】
ステップ１０３で、中央コントローラは、全てのＵＥで選択された協調伝送グループの情報、または、各ＵＥに対して中央コントローラにより選択された協調伝送グループの情報に従って、スーパーセル内の全ての協調伝送グループ、および、各協調伝送グループ内の協調に参加するＵＥを決定する。
【００３６】
ステップ１０３において、スーパーセル内の全ての協調伝送グループ、および、各協調伝送グループ内の協調に参加するＵＥを決定した後、各協調伝送グループは、該協調伝送グループ内の協調に参加するＵＥに、下りシグナリングおよびデータを送信することが可能になる。これにより、マルチセルの協調伝送を実現する。
【００３７】
上記ステップ１０３を実現するために、スーパーセル内の中央コントローラは、各ＵＥのチャネル状況を知る必要がある。これによって、スーパーセル内の全てのＵＥは、自局のチャネル状況を動的に測定して、得られたチャネル情報を中央コントローラにフィードバックする必要がある。それから、ステップ１０３において、中央コントローラは、ＵＥからフィードバックされたチャネル情報に従う一方、ＵＥで選択された協調伝送グループの情報に従って、統合スケジューリングを行うことにより、スーパーセル内の全ての協調伝送グループ、および、各協調伝送グループ内の協調に参加するＵＥを決定する。
【００３８】
本発明の１つの実施例によれば、上記ステップ１０３において、中央コントローラが、スーパーセル内の全ての協調伝送グループ、および、各協調伝送グループ内の協調に参加するＵＥを決定することは、以下のステップを含む。
【００３９】
ステップ２０１で、選択された各ＵＥの協調伝送グループの情報、および、各ＵＥからフィードバックされたチャネル情報に従って、各候補協調伝送グループに対して、それぞれＵＥスケジューリングを行い、各候補協調伝送グループ内の協調に参加するＵＥのスループットまたは重み付けスループットを最大化するように、各候補協調伝送グループ内の協調に参加するＵＥを決定する。
【００４０】
本ステップにおいて、各候補協調伝送グループに対して、それぞれＵＥスケジューリングを行うことは、従来のスケジューリング方法、例えば、貪欲法や全数探索法などを採用するようにしてよい。ところで、説明すべきものとして、各候補協調伝送グループに対してＵＥスケジューリングを行う過程において、１つの候補協調伝送グループ内の協調に参加するＵＥは、該候補協調伝送グループを選択して自局の協調伝送グループとするＵＥであるべきであり、つまり、１つの候補協調伝送グループのスケジューリング可能なＵＥは、該候補協調伝送グループを選択して自局の協調伝送グループとすべきである。
【００４１】
ステップ２０２で、全ての候補協調伝送グループからなる集合を第１集合とする。
【００４２】
ステップ２０３で、最大優先度を有する候補協調伝送グループを、第１集合から選択して、第２集合に追加する。
【００４３】
本ステップにおける前記優先度は、候補協調伝送グループのスループット、または、候補協調伝送グループの重み付けスループットであってよい。
【００４４】
ステップ２０４で、ステップ２０３において第２集合に追加された候補協調伝送グループと直交しない全ての候補協調伝送グループを、第１集合から削除する。
【００４５】
ここで、直交しない候補協調伝送グループとは、同一の時間および同一のリソースブロックに共存できない協調伝送グループを指す。
【００４６】
ステップ２０５で、第１集合が空であるかどうかを判断し、空である場合、今回の統合スケジューリングを終了し、上記第２集合内の候補協調伝送グループを、決定された該スーパーセル内の全ての協調伝送グループとし、空ではない場合、ステップ２０３に戻る。
【００４７】
上記ステップ２０１において、各候補協調伝送グループに対して、それぞれＵＥスケジューリングを行うことにより、全ての協調伝送グループ内の協調に参加するＵＥが決定される。従って、スーパーセル内の協調伝送グループを決定した後、ステップ２０１のＵＥスケジューリングの結果に従って、各協調伝送グループ内の協調に参加するＵＥを決定することができる。
【００４８】
以下、具体的な一例を挙げながら、本発明の実施例に係るマルチセル協調伝送方法を詳しく説明する。
【００４９】
図２は本発明の実施例に係る１つのスーパーセルの構成を示す。図２に示すように、該スーパーセルは５７個のセルを含み、かつ、該スーパーセルの中央コントローラは３８個の候補協調伝送グループを定義しており、各セルはそれぞれ２つの候補協調伝送グループに属する。例えば、図２におけるセルａは、それぞれ協調伝送グループ１および協調伝送グループ２に属する。ここで、協調伝送グループ１はセルａ、ｂおよびｃを含み、協調伝送グループ２はセルａ、ｄおよびｅを含む。スーパーセルの中央コントローラが上記候補協調伝送グループの情報をスーパーセル内の全てのＵＥに放送した後、ＵＥは、大規模チャネル情報または自局の地理位置に従って、３８個の候補協調伝送グループの中から、１つの協調伝送グループを選択して、自局の協調伝送グループとする。例えば、図２におけるセルａのカバレッジ範囲内のＵＥ１は、Ｓｅｔ１を選択して自局の協調伝送グループとすることができる。中央コントローラは、全てのＵＥで選択された協調伝送グループが分かった後、ＵＥからフィードバックされたチャネル情報に従って、３８個の候補協調伝送グループに対して、それぞれＵＥスケジューリングを行い、各候補協調伝送グループ内の協調に参加するＵＥを決定する。最後に、中央コントローラは、各候補協調伝送グループの優先度（例えば、候補協調伝送グループのスループットまたは重み付けスループット）に従って、３８個の候補協調伝送グループの中から、直交する１９個の協調伝送グループ、および、該１９個の協調伝送グループ内の協調に参加するＵＥを決定する。これにより、マルチセル協調伝送を実現する。
【００５０】
ここから分かるように、本実施例により提供されたマルチセル協調伝送方法は、ＵＥが、まず自局のチャネル情報または地理位置に従って、スーパーセルの中央コントローラで決定された有限数の候補協調伝送グループの中から、自局の協調伝送グループを選択することができるため、協調伝送グループが予め定義される方式に比べて、さらに柔軟に実現でき、かつ、比較的大きい協調利得を得ることができ、一方、スケジューリングに参加する候補協調伝送グループが、中央コントローラにより決定されるものであり、その数が有限であるため、協調伝送グループが完全的にＵＥにより決定される方式に比べて、協調伝送グループのスケジューリングの複雑度を大幅に低下させる。ここから分かるように、本実施例に係るスーパーセルにおいて協調伝送に参加するセルおよび協調に参加するＵＥを動的に決定する方法は、協調伝送の性能および協調伝送のスケジューリング複雑度の影響を総合的に考慮すると、比較的高い協調伝送性能を有するとともに、比較的低い複雑度を有するため、適切で実行可能な方法である。
【００５１】
本発明のほかの１つの実施例において、上記ステップ１０３における、中央コントローラが、スーパーセル内の全ての協調伝送グループ、および、各協調伝送グループ内の協調に参加するＵＥを決定することは、以下のステップを含む。
【００５２】
ステップ２１１で、全てのスーパーセル内の候補協調伝送グループを、少なくとも２つの集合に分けることで、各集合内の全ての候補協調伝送グループがいずれも直交することを保証し、ここで、各候補協調伝送グループの集合をそれぞれ１つの協調伝送モードとする。
【００５３】
ステップ２１２で、時分割多重（ＴＤＭ）方式を採用して上記少なくとも２つの協調伝送モードを多重化する。具体的に、下記のステップを含む。即ち、各協調伝送モードのそれぞれに対して下りタイムスロットを割り当て、１つの協調伝送モードに対応する下りタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化する。これにより、該協調伝送モードに対応する下りタイムスロット内で、スーパーセル内の全ての協調伝送グループ、および、各協調伝送グループ内のＵＥを決定する。
【００５４】
説明すべきものとして、上記ステップ２１２における各候補協調伝送グループに対してＵＥスケジューリングを行う過程においても、スケジューリングに参加するＵＥは、該候補協調伝送グループを選択して自局の協調伝送グループとするＵＥであるべきである。
【００５５】
今、図２に示すようなスーパーセルは５７個のセルを含み、かつ、該スーパーセルの中央コントローラは３８個の候補協調伝送グループを定義しており、各セルはそれぞれ２つの候補協調伝送グループに属することを依然として仮定する。中央コントローラは、上記の３８個の候補協調伝送グループを２つの協調伝送モードに分ける。図３は本実施例に係る１つの協調伝送モードを示す。図４は本実施例に係るほかの１つの協調伝送モードを示す。図３および図４から分かるように、本発明の実施例に係る２つの協調伝送モードは、それぞれ１９個の協調伝送グループを含む。本実施例では、時分割多重方式により、１つの下りタイムスロット内で、ＬＴＥ−Ａシステムはそのうちの１つの協調伝送モードを採用し、即ち、１つの下りタイムスロット内で、中央コントローラは、そのうちの１つの協調伝送モードでの１９個の協調伝送グループに対してＵＥスケジューリングを行うだけでよい一方、全ての３８個の協調伝送グループに対して、ＵＥスケジューリングを行う必要がない。従って、本実施例に係るマルチセル協調伝送方法は、協調伝送グループのスケジューリングの複雑度を、さらに低下させることができる。
【００５６】
本発明の別の１つの実施例において、上記ステップ１０３における、中央コントローラが、スーパーセル内の全ての協調伝送グループ、および、各協調伝送グループ内の協調に参加するＵＥを決定することは、以下のステップを含む。
【００５７】
ステップ２２１で、全てのスーパーセル内の候補協調伝送グループを少なくとも２つの集合に分けることで、各集合内の全ての候補協調伝送グループがいずれも直交することを保証し、ここで、各候補協調伝送グループ集合を１つの協調伝送モードとする。
【００５８】
ステップ２２２で、周波数多重（ＦＤＭ）方式を採用して上記少なくとも２つの協調伝送モードを多重化する。具体的に、下記のステップを含む。即ち、各協調伝送モードのそれぞれに対して下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化する。これにより、該協調伝送モードに対応する下り周波数帯域内で、スーパーセル内の全ての協調伝送グループ、および、各協調伝送グループ内のＵＥを決定する。
【００５９】
同様に、上記ステップ２２２における各候補協調伝送グループに対してＵＥスケジューリングを行う過程においても、スケジューリングに参加するＵＥは、該候補協調伝送グループを選択して自局の協調伝送グループとするＵＥであるべきである。
【００６０】
今、図２に示すようなスーパーセルは５７個のセルを含み、かつ、該スーパーセルの中央コントローラは３８個の候補協調伝送グループを定義しており、各セルはそれぞれ２つの候補協調伝送グループに属することを依然として仮定する。中央コントローラは、上記の３８個の候補協調伝送グループを２つの協調伝送モードに分ける。図３は本実施例に係る１つの協調伝送モードを示す。図４は本実施例に係るほかの１つの協調伝送モードを示す。図３および図４から分かるように、本発明の実施例に係る２つの協調伝送モードは、それぞれ１９個の協調伝送グループを含む。各協調伝送モードは異なる下り周波数帯域を使用する。本実施例は、周波数多重方式により、１つの周波数帯域内で、中央コントローラが、そのうちの１つの協調伝送モードでの１９個の協調伝送グループに対して、ＵＥスケジューリングを行うだけでよい一方、全ての３８個の協調伝送グループに対して、ＵＥスケジューリングを行う必要がない。従って、本実施例によれば、協調伝送グループのスケジューリングの複雑度を、さらに低下させることができる。
【００６１】
上記実施例に係るマルチセル協調伝送方法を除いて、本発明の実施例では、また、スーパーセル協調伝送を実現するスーパーセルの中央コントローラが提供されている。該中央コントローラの内部構成は、図５に示すように、主に、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのＵＥに放送する候補協調伝送グループ決定手段と、
ＵＥからフィードバックされた該ＵＥの協調伝送グループの情報を受信する協調伝送グループ情報取得手段と、
全てのＵＥで選択された協調伝送グループの情報に従って、スーパーセル内の全ての協調伝送グループ、および、各協調伝送グループ内の協調に参加するＵＥを決定するスケジューリング手段と、を含む。
【００６２】
また、本発明の実施例では、スーパーセル協調伝送を実現するほかのスーパーセルの中央コントローラが提供されている。該中央コントローラの内部構成は、図６に示すように、主に、
スーパーセル内の各セルがそれぞれ少なくとも１つの候補協調伝送グループに属するように、スーパーセル内で１つ以上の候補協調伝送グループを決定し、決定された候補協調伝送グループの情報を、スーパーセル内の全てのユーザ機器（ＵＥ）に放送する候補協調伝送グループ決定手段と、
ＵＥからフィードバックされたチャネル情報を受信するチャネル情報取得手段と、
各ＵＥからフィードバックされたチャネル情報に従って、各ＵＥのそれぞれ対して、候補協調伝送グループの中から１つの協調伝送グループを選択する協調伝送グループ選択手段と、
各ＵＥに対して選択された協調伝送グループの情報に従って、スーパーセル内の全ての協調伝送グループ、および、各協調伝送グループ内の協調に参加するＵＥを決定するスケジューリング手段と、を含む。
【００６３】
上記２つの実施例により提供された中央コントローラの内部のスケジューリング手段は、
選択された各ＵＥの協調伝送グループ情報、および、各ＵＥからフィードバックされたチャネル情報に従って、各候補協調伝送グループに対して、それぞれＵＥスケジューリングを行い、各候補協調伝送グループ内の協調に参加するＵＥの重み付けスループットを最大化するように、各候補協調伝送グループ内の協調に参加するＵＥを決定するＵＥスケジューリングモジュールと、
全ての候補協調伝送グループからなる集合を第１集合とし、最大優先度を有する候補協調伝送グループを第１集合から選択して、該スーパーセル内の協調伝送グループとして、第２集合に追加し、第２集合に追加された候補協調伝送グループと直交しない全ての候補協調伝送グループを、第１集合から削除し、それから、第１集合が空になるまで、最大優先度を有する協調伝送グループを第１集合から選択するステップに戻る協調伝送グループ選択モジュールと、を含んでもよい。
【００６４】
本発明のほかの実施例による上記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループの集合をそれぞれ１つの協調伝送モードとする協調伝送モード区分モジュールと、
各協調伝送モードのそれぞれに対して、下りタイムスロットを割り当て、１つの協調伝送モードに対応するタイムスロット内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、を含んでもよい。
【００６５】
本発明の別の実施例による上記スケジューリング手段は、
全てのスーパーセル内の候補協調伝送グループを少なくとも２つの集合に分けることで、各集合内の全ての候補協調伝送グループがいずれも直交することを保証し、かつ、各候補協調伝送グループの集合をそれぞれ１つの協調伝送モードとする協調伝送モード区分モジュールと、
各協調伝送モードのそれぞれに対して、下り周波数帯域を割り当て、１つの協調伝送モードに対応する下り周波数帯域内で、選択された全てのＵＥの協調伝送グループの情報、および、全てのＵＥからフィードバックされたチャネル情報に従って、該協調伝送モードでの各候補協調伝送グループに対して、それぞれＵＥスケジューリングを行うことで、各候補協調伝送グループ内のスケジューリングされた全てのＵＥの重み付けスループットを最大化するＵＥスケジューリングモジュールと、を含んでもよい。
【００６６】
また、本発明の実施例では、上記中央コントローラとの通信を行うＵＥが提供されている。該ＵＥの内部構成は、図７に示すように、主に、
スーパーセルの中央コントローラから放送された全ての候補協調伝送グループの中から、１つの協調伝送グループを選択して、自局の協調伝送グループとする協調伝送グループ選択手段と、
選択された協調伝送グループの情報を、スーパーセルの中央コントローラにフィードバックする協調伝送グループ情報フィードバック手段と、を含む。
【００６７】
また、上記ＵＥは、自局のチャネル状況を動的に測定して、得られたチャネル情報を中央コントローラにフィードバックするチャネル情報フィードバック手段を、さらに含むべきである。
【００６８】
本発明のほかの実施例では、上記中央コントローラとの通信を行うほかのＵＥが提供されている。該ＵＥの内部構成は、図８に示すように、主に、
スーパーセルの中央コントローラから放送された全ての候補協調伝送グループの情報を受信する候補協調伝送グループ情報受信手段と、
前記候補協調伝送グループに対して測定を行う測定手段と、
測定して得られたチャネル情報を前記中央コントローラにフィードバックするチャネル情報フィードバック手段と、を含む。
【００６９】
上記チャネル情報フィードバック手段は、さらに、自局のチャネル状況を動的に測定して、得られたチャネル情報を中央コントローラにフィードバックする。
【００７０】
上記中央コントローラとＵＥとの協力により、マルチセル協調伝送を実現することができ、かつ、協調伝送の性能および協調伝送のスケジューリング複雑度の影響を総合的に考慮すると、本発明の実施例は、比較的高い協調伝送性能を有するとともに、比較的低い複雑度を有するため、適切で実行可能な方法である。
【００７１】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
0005558256.tif 000002
【図２】
0005558256.tif 000003
【図３】
0005558256.tif 000004
【図４】
0005558256.tif 000005
【図５】
0005558256.tif 000006
【図６】
0005558256.tif 000007
【図７】
0005558256.tif 000008
【図８】
0005558256.tif 000009